(57)【要約】【課題】手摺が紛失する虞をなくすると共に、安全な手摺装置を提供する。【解決手段】手摺１の基端１Ａ側は該手摺１の長手方向Ｘと直交する軸１７を介して回動自在に前記取付け具１１に設けられる、前記手摺１を上向き又は横向きに選択的に固定するストッパー２１を設ける。ストッパー２１は、前記手摺１の長孔２２と、上向き位置係止部２３と、横向き位置係止部２４からなる。不使用時において、前記軸１７が前記長孔２２の前記基端１Ａと反対側に位置して基端１Ａが上向き位置係止部２３に係止して固定される。一方使用時においては、前記軸１７が前記長孔２２の前記基端１Ａと反対側の位置以外に位置して前記基端１Ａが横向き位置係止部２４に係止して固定される。【選択図】　　　図２
2004036148.tif 000002
【特許請求の範囲】
【請求項１】
棒状の手摺と、壁、柱、床等の建築物に取付けられ前記手摺を支持する手摺用の取付け具とを備えた手摺装置において、前記手摺の基端側を前記取付け具に上下方向に回動自在に連結すると共に、該取付け具に前記手摺を上向きに固定可能なストッパーを設けたことを特徴とする手摺装置。
【請求項２】
前記手摺の基端側は該手摺の長手方向と直交する軸を介して回動自在に前記取付け具に設けられ、前記ストッパーは、前記手摺の基端側に該手摺の長手方向に形成され前記軸が前記長手方向に摺動自在に設けられる長孔と、前記手摺が上向きとなって前記軸が前記長孔の前記基端側と反対側に位置したときのみに前記基端側を係止する上向き位置係止部とからなることを特徴とする請求項１記載の手摺装置。
【請求項３】
前記ストッパーに、前記手摺を横向き又は上向きに固定するロック装置を設けると共に、このロック装置の操作部を下向きに設けたことを特徴とする請求項２記載の手摺装置。
【発明の詳細な説明】
【０００１】
【発明の属する技術分野】
本発明は、手摺装置に関する。
【０００２】
【発明が解決しようとする課題】
従来、この種のものとして特開平１１−２２２９９６号公報の手摺装置が公知である。この手摺装置は、棒状の手摺と、壁、柱、床等の建築物に取付けられ前記手摺を支持する手摺用の取付け具とを備えた手摺装置において、前記手摺と取付け具を着脱自在に、例えば障子戸やドアの前などあらゆる箇所に取付けを行うことができるというものである。
【０００３】
このような手摺を取付け具に対して着脱自在に設けたものにおいては、取付け具より外した手摺が紛失する虞がある。
【０００４】
そこで、本発明は、棒状の手摺と、壁、柱、床等の建築物に取付けられ前記手摺を支持する手摺用の取付け具とを備えた手摺装置において、手摺が紛失する虞をなくすると共に、安全な手摺装置を提供することを目的とする。
【０００５】
【課題を解決するための手段】
請求項１の発明は、棒状の手摺と、壁、柱、床等の建築物に取付けられ前記手摺を支持する手摺用の取付け具とを備えた手摺装置において、前記手摺の基端側を前記取付け具に上下方向に回動自在に連結すると共に、該取付け具に前記手摺を上向きに固定可能なストッパーを設けたことを特徴とする手摺装置である。
【０００６】
この請求項１の構成によれば、使用時においては手摺を横向きに設置すると共に、ストッパーにより固定する。一方、不使用時においては、手摺を上向きに設置すると共に、ストッパーにより固定する。
【０００７】
請求項２の発明は、前記手摺の基端側は該手摺の長手方向と直交する軸を介して回動自在に前記取付け具に設けられ、前記ストッパーは、前記手摺の基端側に該手摺の長手方向に形成され前記軸が前記長手方向に摺動自在に設けられる長孔と、前記手摺が上向きとなって前記軸が前記長孔の前記基端側と反対側に位置したときのみに前記基端側を係止する上向き位置係止部とからなることを特徴とする請求項１記載の手摺装置である。
【０００８】
この請求項２の構成によれば、不使用時において、前記軸が前記長孔の前記基端と反対側に位置して前記基端が上向き位置係止部に係止して固定される。
【０００９】
請求項３の発明は、前記ストッパーに、前記手摺を横向き又は上向きに固定するロック装置を設けると共に、このロック装置の操作部を下向きに設けたことを特徴とする請求項２記載の手摺装置である。
【００１０】
この請求項３の構成によれば、操作部を操作して前記ストッパーをロックして前記手摺を上向きに固定する。
【００１１】
【発明の実施形態】
以下、本発明の実施形態を添付図を参照して説明する。図１〜図３に示した第１実施形態においては、棒状の手摺１を例えば階段２の入口における左右両側の柱３，４の間に設置した場合を示している。そして、一方の柱３に手摺１の基端１Ａ側を取付け具１１を介して回動自在に設ける。他方の柱４には横向き状態にある手摺１の先端１Ｂ側を受ける受け具１２を設ける。この受け具１２は上方を開口部１３とした略コ型形状であり、先端１Ｂが上方より挿入して係止できるようになっている。尚、前記手摺１は、断面が円形で棒状な手摺本体１４と、この手摺本体１４の長手方向Ｘに接続され基端１Ａを形成する正面が矩形状の板材からなる連結部１５により形成される。尚、連結部１５の端角は円弧面１５Ａに形成されている。
【００１２】
前記取付け具１１は、柱３に固定される箱型のケーシング１６を有するもので、前記手摺１の連結部１５は該手摺１の長手方向Ｘと直交する軸１７を介して上下方向に回動自在に設けられており、軸１７はケーシング１６内のブラケット１８を介して回動自在に設けられている。このためケーシング１６の上面１６Ａ及び受け具１２に対向する面１６Ｂには連結部１５がケーシング１６の内外を貫通して突設するための連結部１５の回動用の孔１９が上面１６においては横向きに、面１６Ｂにおいては縦向きに連続して形成されている。さらに、取付け具１１に前記手摺１を上向き又は横向きに選択的に固定可能に設けるストッパー２１を設ける。手摺１を上向きすると該手摺１を選択的に固定可能に設けるストッパー２１は、前記手摺１の連結部１５に前記長手方向Ｘに形成され前記軸１７が前記長手方向Ｘに摺動自在に設けられる長孔２２と、図３に示すように前記手摺１が上向きとなって前記軸１７が前記長孔２２の前記基端１Ａと反対側に位置したときに前記基端１Ａ側を係止する上向き位置係止部２３と、図２の実線で示すように前記手摺１が横向きとなって前記軸１７が前記長孔２２の前記基端１Ａと反対側の位置以外に位置したとき、すなわち図２においては長孔２２のほぼ中央に前記軸１７が位置したときに前記基端１Ａ側を係止する横向き位置係止部２４とからなる。前記上向き位置係止部２３は、ケーシング１６における前記面１６Ｂと対向する面１６Ｃより内側に横向きに突設し、その高さは軸１７よりも低く、しかもその先端２３Ａは、連結部１５、ひいては手摺１が横向き状態にあった際に連結部１５の上面が係止できるようになっている。また、横向き位置係止部２４は、孔１９の下端１９Ａにより形成され、連結部１５、ひいては手摺１が横向き状態にあった際に連結部１５の下面が下端１９Ａに係止できるようになっている。尚、１６Ｄはケーシング１６の底面を示し、２５は連結部１５における長孔２２の近傍を他の箇所より薄く形成した範囲を示している。
【００１３】
次に前記構成についてその作用を説明する。図１に示すように使用時においては基端１Ａを受け具１２に係止して、階段２を横ぎるときに手摺１を握って歩行できる。一方、階段２を昇ったりするときには、手摺１が邪魔になるので、先端１Ｂを握って手摺１を跳ね上げるようにして回動する。この際、軸１７は長孔２２に対して長手方向Ｘに摺動自在になっているので、手摺１を上向きとするとその自重により手摺１は図２のニ点鎖線の状態から一点鎖線の状態になるようにやや落ち込んで長孔２２における基端１Ａと反対側の部位が軸１７に係止すると共に、このような前記軸１７が前記長孔２２の前記基端１Ａ側と反対側に位置したときのみに、基端１Ａ側が上向き位置係止部２３に係止して、手摺１は上向きに固定される。
【００１４】
さらに、手摺１を横向きとして使用する時は、図２の一点鎖線の状態からニ点鎖線の状態になるようにやや持ち上げて長孔２２における基端１Ａ側の部位が軸１７に係止させて、上向き固定状態を解除すると共に、軸１７を回転中心として手摺１を横向きに戻すものである。
【００１５】
以上のように、前記実施形態では棒状の手摺１と、柱３に取付けられ前記手摺１を支持する手摺１用の取付け具１１とを備えた手摺装置において、前記手摺１の基端１Ａ側を前記取付け具１１に上下方向に回動自在に連結すると共に、該取付け具１１に前記手摺１を上向きに固定可能なストッパー２１を設けたことにより、手摺１の使用時においては手摺１を横向きに設置すると共に、ストッパー２１により固定する。一方、不使用時においては、手摺１を上向きに設置すると共に、ストッパー２１により固定するので、不使用時において、手摺１を上向きに設置すると共に、ストッパー２１により固定することにより、紛失の虞をなくすことができると共に、手摺１が倒れることがなく安全である。
【００１６】
また、前記手摺１の基端１Ａ側は該手摺１の長手方向Ｘと直交する軸１７を介して回動自在に前記取付け具１１に設けられ、前記手摺１を上向きに固定可能に設ける前記ストッパー２１は、前記手摺１の基端１Ａ側に該手摺１の長手方向Ｘに形成され前記軸１７が前記長手方向Ｘに摺動自在に設けられる長孔２２と、前記手摺１が上向きとなって前記軸１７が前記長孔２２の前記基端１Ａ側と反対側に位置したときのみに前記基端１Ａ側を係止する上向き位置係止部２３と、前記手摺１が横向きとなって前記軸１７が前記長孔２２の前記基端１Ａ側と反対側の位置以外に位置したときに前記基端１Ａ側を係止する横向き位置係止部２４とからなり、不使用時において、前記軸１７が前記長孔２２の前記基端１Ａと反対側に位置して前記基端１Ａが上向き位置係止部２３に係止して固定される。一方使用時においては、前記軸１７が前記長孔２２の前記基端１Ａと反対側の位置以外に位置して前記基端１Ａが横向き位置係止部２４に係止して固定され、前記手摺１の上向き又は横向きに対応して前記長孔２２に対する前記軸１７の位置が図２の一点鎖線、ニ点鎖線に示すように移動することにより、前記手摺１を簡単に固定することができる。
【００１７】
図４〜図７は第２実施形態を示しており、前記第１実施形態と同一部分には同一符号を付し、その詳細な説明を省略する。第２実施形態では、さらに、手摺１が横向きのときに操作部３１を操作しないと手摺１を起すことができないように固定するロック装置３２をブラケット１８の一方に設けたものである。ストッパー２１のように手摺１自体を操作することで該手摺１を固定可能にするようなものではなく、手摺１自体が固定されて動けなくなる状態とする前記ロック装置３２は、ブラケット１８に対して横向きに進退自在に設けられ前記連結部１５に形成したロック受け部たる貫通孔３３に先端３４Ａが挿入可能なピン状のロック体３４と、前記ロック体３４の外側（連結部１５と反対側）に配置され弾性体たるバネ３５によりロック体３４を連結部１５側へ押圧すると共に前記ロック体３４に先端を接続した押圧体３６と、この押圧体３６の内側（連結部１５側）に上端３７Ａを摺動自在に設けると共に、下端の操作部３１をケーシング１６の下面１６Ｄより下方に突出させ、かつ前記上端３７Ａと操作部３１側との間に下方へ次第に厚みＹが厚くなるように形成したテーパ面３７Ｂを形成した前記操作体３７より構成される。そして、手摺１が横向きのときに、前記ロック体３４が貫通するようにロック体受け部たる貫通孔３３は連結部１５の適所に形成されている。尚、図中３８は一方のブラケット１８の外側に固着し、操作体３７の内側を摺動案内する案内部材、３９は梃子状に設けられる押圧体３６の基端を回動自在に支持する支持部材である。
【００１８】
次に前記構成についてその作用を説明する。手摺１が上向きにあるとき、第１実施形態と同様に手摺１は上向き位置係止部２３により係止されている。また、バネ３５により内側へ付勢されているロック体３４の先端３４Ａは、貫通孔３３以外で連結部１５の平な表面に当接している。そして、軸１７を回転中心として手摺１を倒すと、手摺１は横向き位置係止部２４に係止される。この際、先端３４Ａは連結部１５の平な表面を摺動すると共に、手摺１が横向きになるとバネ３５の付勢力によりロック体３４が押圧体３６により押圧されて貫通孔３３に挿入し、手摺１は横向きにロック（固定）される。このようなロック状態では、手摺１を回動することも引上げることもできない。したがって、誤って手摺１を持ち上げても、ロック装置３２によりこれを阻止して手摺１の起き上がりを防止することができる。
【００１９】
一方、再び手摺１を上向きにするときは、下面１６Ｄにある操作部３１を上方へ押圧すると、テーパ面３７Ｂが上昇して押圧体３６を外側へバネ３５に抗して移動させると、ロック体３４の先端３４Ａが貫通孔３３より抜け出て、ロックを解除することができる。そして、第１実施形態と同様に手摺１を起して上向きとする。手摺１が上向きになると同時にテーパ面３７Ｂと押圧体３６との斜め接触状態により操作体３７を押し下げる。これにより、バネ３５により内側へ付勢されているロック体３４の先端３４Ａは、貫通孔３３以外で連結部１５の平な表面に当接して、手摺１が横向きになったときに、ロックが自動的に作用する準備がなされる。
【００２０】
以上のように、前記実施形態では前記ストッパー２１に、前記手摺１を横向きに固定するロック装置３２を設けると共に、このロック装置３２の操作部３１を下向きに設けたことにより、ロック装置３２により手摺１をロックすれば前記手摺１に振動や不用な力が加わっても、前記手摺１が動くようなことはない。また操作部３１は下面１６Ｄより下向きに設けたので、これを上向き或いは横向きに比較して不用意に触れることはなく、安全性をいっそう向上することができる。
【００２１】
尚、本発明は上記実施形態に限定されるものではなく、本発明の要旨の範囲内において、種々の変形実施が可能である。例えば、取付け具を壁、床等の建築物に取付けてもよく、またロック装置は前記手摺１を上向きに固定するようなものでもよい。
【００２２】
【発明の効果】
請求項１の発明は、棒状の手摺と、壁、柱、床等の建築物に取付けられ前記手摺を支持する手摺用の取付け具とを備えた手摺装置において、前記手摺の基端側を前記取付け具に上下方向に回動自在に連結すると共に、該取付け具に前記手摺を上向きに固定可能なストッパーを設けたことを特徴とする手摺装置であり、不使用時において、手摺を上向きに設置すると共に、ストッパーにより固定することにより、紛失の虞をなくし、しかも前記手摺をストッパーにより上向きに固定可能としたことにより、手摺が倒れることがなく安全である。
【００２３】
請求項２の発明は、前記手摺の基端側は該手摺の長手方向と直交する軸を介して回動自在に前記取付け具に設けられ、前記ストッパーは、前記手摺の基端側に該手摺の長手方向に形成され前記軸が前記長手方向に摺動自在に設けられる長孔と、前記手摺が上向きとなって前記軸が前記長孔の前記基端側と反対側に位置したときのみに前記基端側を係止する上向き位置係止部とからなることを特徴とする請求項１記載の手摺装置であり、前記手摺の上向きに対応して前記長孔に対する前記軸の位置が移動することにより、前記手摺を簡単に固定することができる。
【００２４】
請求項３の発明は、前記ストッパーに、前記手摺を横向き又は上向きに固定するロック装置を設けると共に、このロック装置の操作部を下向きに設けたことを特徴とする請求項２記載の手摺装置であり、前記手摺に振動や不用な力が加わっても、前記手摺が動くようなことはなく、また操作部は下向きなので上向き或いは横向きに比較して不用意に触れることはなく、安全性をいっそう向上することができる。
【図面の簡単な説明】
【図１】本発明の第１実施形態を示す使用状態の斜視図である。
【図２】本発明の第１実施形態を示す手摺が横向き状態の断面図である。
【図３】本発明の第１実施形態を示す手摺が上向き状態の断面図である。
【図４】本発明の第２実施形態を示す正面側の断面図である。
【図５】本発明の第２実施形態を示す一部切欠き平面図である。
【図６】本発明の第２実施形態を示す一部切り欠き斜視図である。
【図７】本発明の第２実施形態を示す要部の断面図である。
【符号の説明】
１　手摺
１Ａ　基端
３　柱
１１　取付け具
１７　軸
２１　ストッパー
２２　長孔
２３　上向き位置係止部
２４　横向き位置係止部
３１　操作部
３２　ロック装置
Ｘ　長手方向
【図１】
2004036148.tif 000003
【図２】
2004036148.tif 000004
【図３】
2004036148.tif 000005
【図４】
2004036148.tif 000006
【図５】
2004036148.tif 000007
【図６】
2004036148.tif 000008
【図７】
2004036148.tif 000009